(57)【要約】【課題】昼光色や電球色のＬＥＤに、青色ＬＥＤを加えて、照明下での物の見づらさを解消する照明装置において、制御回路の単純化、回路部品点数の削減、電源基板の小型化を実現する照明装置を提供する。置を提供する。【解決手段】昼光色の光を発する昼光色ＬＥＤと、電球色の光を発する電球色ＬＥＤと、青色の光を発する青色ＬＥＤと、前記昼光色ＬＥＤ、前記電球色ＬＥＤおよび前記青色ＬＥＤを制御する制御部と、を備え、前記制御部は、前記昼光色ＬＥＤおよび前記電球色ＬＥＤと、前記青色ＬＥＤと、を同時に点灯させ、前記昼光色ＬＥＤと前記電球色ＬＥＤは連続的に電流値を個別に可変する制御と、青色ＬＥＤは点灯と消灯のみの制御をすることを特徴とする。【選択図】図５
2020030928.tif 000002
【特許請求の範囲】
【請求項１】
昼光色の光を発する昼光色ＬＥＤと、
電球色の光を発する電球色ＬＥＤと、
青色の光を発する青色ＬＥＤと、
前記昼光色ＬＥＤ、前記電球色ＬＥＤおよび前記青色ＬＥＤを制御する制御部と、を備え、
前記制御部は、前記昼光色ＬＥＤおよび前記電球色ＬＥＤと、前記青色ＬＥＤと、を同時に点灯させ、前記昼光色ＬＥＤと前記電球色ＬＥＤは連続的に電流値を個別に可変する制御と、青色ＬＥＤは点灯と消灯のみの制御をすることを特徴とする照明装置。
【発明の詳細な説明】
【技術分野】
【０００１】
本発明は、複数色の発光素子を光源として備える照明装置に関する。
【背景技術】
【０００２】
天井照明装置（いわゆるシーリングライト）として、昼光色、電球色の発光素子（ＬＥＤ：Light Emitting Diode）それぞれを定格出力で点灯する状態（全灯モード）に、さらに青色のＬＥＤを追加することで、４７０ｎｍ〜４８０ｎｍの波長の放射強度を補い、「全灯モード」での照明下での物の見づらさを解消する「全灯モード＋青色ＬＥＤ追加モード」を搭載したものが提案されている（特許文献１参照）。
また、昼光色と電球色ＬＥＤに、前記「全灯モード」時の１．２倍の電流を流して明るさを上げた状態（明るさアップモード）に青色ＬＥＤ追加をした、「明るさアップモード＋青色ＬＥＤ追加モード」によりさらに物の見づらさを解消するものが提案されている（特許文献１参照）。
【先行技術文献】
【特許文献】
【０００３】
【特許文献１】特開２０１６−１８６８０号公報
【発明の概要】
【発明が解決しようとする課題】
【０００４】
しかしながら、特許文献１に記載の照明装置では、単に昼光色や電球色に青色を追加することの記載があるが、それぞれの光量バランスや詳細な制御方法について言及していない。しかし、「全灯モード＋青色ＬＥＤ追加モード」のときに青色ＬＥＤに流す電流値に対して、「明るさアップモード＋青色ＬＥＤ追加モード」のときに青色ＬＥＤに流す電流値も１．２倍でないと、それぞれのモードで同じ色温度にならないことは明らかである。つまり、特許文献１に記載の照明装置では昼光色ＬＥＤと電球色ＬＥＤだけでなく、青色ＬＥＤ用電流値を可変するための調光回路が必要となっており、制御回路の複雑化や回路部品点数の増加、電源基板が大型化するという懸念がある。
【０００５】
本発明は、青色ＬＥＤの電流値を固定し、点灯・消灯だけを制御する回路とすることで、制御回路の複雑化や回路部品の増加、電源基板の大型化を解消することが可能な照明装置を提供することを目的とする。
【課題を解決するための手段】
【０００６】
本発明は、昼光色の光を発する昼光色ＬＥＤと、電球色の光を発する電球色ＬＥＤと、  青色の光を発する青色ＬＥＤと、前記昼光色ＬＥＤ、前記電球色ＬＥＤおよび前記青色ＬＥＤを制御する制御部と、を備え、前記制御部は、前記昼光色ＬＥＤおよび前記電球色ＬＥＤと、前記青色ＬＥＤと、を同時に点灯させ、前記昼光色ＬＥＤと前記電球色ＬＥＤは連続的に電流値を個別に可変する制御と、青色ＬＥＤは点灯と消灯のみの制御をすることを特徴とする。
【発明の効果】
【０００７】
本発明によれば、昼光色や電球色を用いた照明下での物の見づらさを解消することが可能な照明装置において、電源回路の制御部の単純化、回路部品点数の削減、電源基板の小型化を実現することができる。
【図面の簡単な説明】
【０００８】
【図１】第１実施形態に係るＬＥＤ照明装置を示す分解斜視図である。
【図２】第１実施形態に係るＬＥＤ照明装置の各色ＬＥＤの配置を示す平面図である。
【図３】第１実施形態の変形例に係るＬＥＤ照明装置の各色ＬＥＤの配置を示す平面図である。
【図４】第１実施形態に係るＬＥＤ照明装置を示す縦断面図である。
【図５】第１実施形態に係るＬＥＤ照明装置を示す制御ブロック図である。
【図６】（ａ）は昼光色ＬＥＤのスペクトル分布図、（ｂ）は電球色ＬＥＤのスペクトル分布図、（ｃ）は青色ＬＥＤのスペクトル分布図である。
【図７】（ａ）は図６の（ａ）と（ｂ）と全灯のスペクトル分布図とを重ね合わせたスペクトル分布図、（ｂ）は太陽光のスペクトル分布図と図６（ｃ）と全灯のスペクトル分布図と全灯に青色ＬＥＤを追加した場合のスペクトル分布図とを重ね合わせたスペクトル分布図、（ｃ）は図６（ｃ）と明るさアップモードのスペクトル分布図と明るさアップモードに青色ＬＥＤを追加した場合のスペクトル分布図とを重ね合わせたスペクトル分布図である。
【図８】色温度と光束との関係を示すパターン図である。
【図９】モードの種類毎の文字などの見易さを示す表である。
【図１０】第２実施形態に係るＬＥＤ照明装置を示す分解斜視図である。
【図１１】第２実施形態に係るＬＥＤ照明装置を示す斜視断面図である。
【図１２】図１１のＡ部拡大図である。
【発明を実施するための形態】
【０００９】
以下、本発明の実施形態に係るＬＥＤ照明装置（ＬＥＤシーリングライト）について、図面を参照して詳細に説明する。なお、本実施形態に係るＬＥＤ照明装置１Ａ，１Ｂは、例えば、家屋の天井面に設けられる引掛ローゼットや引掛シーリングなどの屋内配線器具（不図示）に係合する取付アダプタ（不図示）を介することによって、外部電源に接続されるとともに天井面の所定位置に固定されて利用に供されるものである。
【００１０】
（第１実施形態）
図１は、第１実施形態に係るＬＥＤ照明装置を示す分解斜視図である。なお、図１では、紙面上側が天井側、紙面下側が床側である。
【００１１】
図１に示すように、ＬＥＤ照明装置１Ａは、例えば丸型のものであり、本体ベース１１、アダプタ受け部（絶縁材）１２、電源基板１３、放熱板１４、ＬＥＤ光源基板１５Ａ、反射シート１６、ＬＥＤカバー１７、センタカバー１８、セード１９、リング部材２０、センサユニット２１などで構成されている。
【００１２】
本体ベース１１は、鋼板（例えば、ＳＰＣＣ）を略円形状に加工成形した部品であり、凹面が床側を向くように略凹状（皿状）に形成されている。また、本体ベース１１の中央には、取付アダプタ（不図示）が係止されるアダプタ取付孔１１ａが形成されている。
【００１３】
アダプタ受け部（絶縁材）１２は、難燃性を有する合成樹脂（例えば、ＰＢＴ：ポリブチレンテレフタレート樹脂）で形成され、本体ベース１１にねじ固定されるリング形状の固定部１２ａと、この固定部１２ａの内周縁部から床側（下方）に延出する円筒部１２ｂと、を有している。
【００１４】
電源基板１３は、制御部を含む点灯回路基板などを有し、アダプタ受け部（絶縁材）１２を介して本体ベース１１にねじ固定されている。これにより、電源基板１３は、本体ベース１１と後記する放熱板１４とで囲まれた放熱空間内に、電気絶縁性を維持した状態で配置される。
【００１５】
また、電源基板１３は、不図示の電線を介して、取付アダプタ（不図示）と電気的に接続される。これにより、ＬＥＤ照明装置１Ａは、屋内配線器具（不図示）、取付アダプタ（不図示）、電源基板１３をそれぞれ介して、給電されるようになっている。
【００１６】
放熱板１４は、鋼板を略円形状に加工成形したものであり、床側に突出する円錐台形状の基板支持部１４ａが形成されている。また、放熱板１４は、例えば亜鉛メッキ鋼板などの熱伝導性の良好な金属を用いて構成され、しぼり加工を施すことによって強度アップが図られている。また、放熱板１４は、本体ベース１１よりも大径に形成され、本体ベース１１よりも径方向外側に突出するようにして本体ベース１１に取り付けられる。
【００１７】
また、放熱板１４の径方向の中心には、アダプタ受け部（絶縁材）１２の円筒部１２ｂと対応する位置に円形の貫通孔１４ｂが形成されている。また、放熱板１４の外周に形成された環状部１４ｃには、後記するセード１９を掛止するための受け具１４ｄが１２０°間隔で３箇所に取り付けられている。
【００１８】
ＬＥＤ光源基板１５Ａは、リング形状の配線基板１５ａと、この配線基板１５ａの一面側（床面側）に同心円状に配置された複数のＬＥＤ素子群１５ｂと、を含んで構成されている。なお、ＬＥＤ素子群１５ｂの詳細については後記する。
【００１９】
配線基板１５ａは、例えば、アルミニウム合金製の略環状の金属板に絶縁層および銅箔パターンなどを形成することで構成され、または熱伝導性の良好な樹脂（例えばポリイミド樹脂など）の平板上に銅箔パターンおよびソルダーレジストなどを形成することで構成されている。また、配線基板１５ａは、放熱板１４にねじ固定されている。
【００２０】
本実施形態では、前記のような構成の本体ベース１１と放熱板１４とを備えることによって、放熱空間の容積を大きくし（放熱空間の空気の量を多くし）、電源基板１３およびＬＥＤ光源基板１５Ａの放熱効率の向上を図っている。その結果、ＬＥＤ素子群１５ｂの発光効率を高くできる。
【００２１】
図２は、第１実施形態に係るＬＥＤ照明装置の各色ＬＥＤの配置を示す平面図である。なお、図２は、１８畳用のＬＥＤの配列パターンの一例を示している。
【００２２】
図２に示すように、ＬＥＤ素子群１５ｂは、昼光色（Ｄ色）の光を発する複数個の昼光色ＬＥＤ（Light Emitting Diode）１５ｂ１、電球色（Ｌ色）の光を発する複数個の電球色ＬＥＤ１５ｂ２、青色の光を発する複数個の青色ＬＥＤ１５ｂ３を含んで構成されている。また、ＬＥＤ素子群１５ｂは、保安灯用のＬＥＤ１５ｂ４を備えている。
【００２３】
昼光色ＬＥＤ１５ｂ１は、ピーク波長が４３０ｎｍ〜４６０ｎｍのものであり（後記する図６（ａ）参照）、外周側から内周側にかけて同心円状に複数列（図２の実施形態では９列）に形成されている。
【００２４】
電球色ＬＥＤ１５ｂ２は、ピーク波長が５５０ｎｍ〜６５０ｎｍのものであり、同心円状に複数列配置された各列において昼光色ＬＥＤ１５ｂ１を間に挟んで配置されている。すなわち、電球色ＬＥＤ１５ｂ２は、同心円状の各列において、周方向に２個の昼光色ＬＥＤ１５ｂ１を間に挟んで配置されている。なお、内周側から２列目における電球色ＬＥＤ１５ｂ２は、１個または２個の昼光色ＬＥＤ１５ｂ１を間に挟んで配置されている。また、昼光色ＬＥＤ１５ｂ１と電球色ＬＥＤ１５ｂ２は、同心円状の各列において、周方向に向けて等間隔またはほぼ等間隔に配置されている。
【００２５】
青色ＬＥＤ１５ｂ３は、ピーク波長が４７０ｎｍ〜４８０ｎｍのものであり、同心円状に複数列配置された昼光色ＬＥＤ１５ｂ１と電球色ＬＥＤ１５ｂ２の最外周と最内周との間において、周方向に間隔を空けて円環状に配置されている。図２の実施形態において、昼光色ＬＥＤ１５ｂ１と電球色ＬＥＤ１５ｂ２とが配置された列は、円環状に配置された青色ＬＥＤ１５ｂ３の内周側には同心円状に５列配置、外周側には同心円状に４列配置となっている。
【００２６】
図３は、第１実施形態の変形例に係るＬＥＤ照明装置の各色ＬＥＤの配置を示す平面図である。なお、図３に示すＬＥＤ光源基板１５Ｂは、８畳用のＬＥＤの配列パターンを示し、ＬＥＤ光源基板１５Ａとは、ＬＥＤ素子群１５ｂの数および配列が異なるだけで、配線基板１５ａの形状などは同一である。また、保安灯用のＬＥＤ１５ｂ４は、畳数に拘わらず同じ位置に配置されている。
【００２７】
図３に示すように、昼光色ＬＥＤ１５ｂ１は、前記と同様のピーク波長を有するものであり、外周側から内周側にかけて同心円状に複数列（図３の実施形態では６列）に形成されている。
【００２８】
電球色ＬＥＤ１５ｂ２は、前記と同様のピーク波長を有するものであり、同心円状に配置された各列において昼光色ＬＥＤ１５ｂ１を間に挟んで配置されている。
【００２９】
青色ＬＥＤ１５ｂ３は、前記と同様のピーク波長を有するものであり、同心円状に複数列配置された昼光色ＬＥＤ１５ｂ１と電球色ＬＥＤ１５ｂ２の最外周と最内周との間において、周方向に間隔を空けて円環状に配置されている。図３の実施形態において、昼光色ＬＥＤ１５ｂ１と電球色ＬＥＤ１５ｂ２とが配置された列は、円環状に配置された青色ＬＥＤ１５ｂ３の内周側には同心円状に３列配置、外周側には同心円状に３列配置となっている。
【００３０】
図２に示すＬＥＤ素子群１５ｂは、例えば、２７５個の昼光色ＬＥＤ１５ｂ１、１４２個の電球色ＬＥＤ１５ｂ２、および４１個の青色ＬＥＤ１５ｂ３によって構成されている。また、図３に示すＬＥＤ素子群１５ｂは、例えば、１４８個の昼光色ＬＥＤ１５ｂ１、７６個の電球色ＬＥＤ１５ｂ２、および２３個の青色ＬＥＤ１５ｂ３によって構成されている。このように、青色ＬＥＤ１５ｂ３の数は、昼光色ＬＥＤ１５ｂ１および電球色ＬＥＤ１５ｂ２の合計数の１０％程度とすることが好ましい。
【００３１】
図１に戻って、反射シート（反射フィルム）１６は、ＬＥＤ素子群１５ｂから天井側に出射された光（ＬＥＤカバー１７やセード１９によって天井方向に反射された光）を床側に反射させる機能を有し、ＬＥＤ光源基板１５Ａの形状と対応するように平面視においてドーナツ状（環状）に形成されている。また、反射シート１６は、白色の樹脂シートで構成され、ＬＥＤ素子群１５ｂの各素子を個別に露出させる（挿通させる）貫通孔１６ａが形成されている。なお、本実施形態では、反射シート１６を設ける場合を例に挙げて説明したが、これに限定されるものではなく、放熱板１４や光源基板１５Ａに高反射塗装を行う構成であってもよい。本実施形態では、高反射塗装ではなく、反射シート１６を用いることで、ＬＥＤ照明装置１Ａを安価に製造することが可能になる。
【００３２】
ＬＥＤカバー１７は、複数のＬＥＤ素子群１５ｂから発せられた光束を表面側（床側）へ導く機能およびＬＥＤ光源基板１５Ａを放熱板１４に対して密着させるように押圧する機能などを有している。
【００３３】
ＬＥＤカバー１７は、例えばポリスチレン、ポリカーボネートなどの、透光性および電気絶縁性を有する樹脂を用いて、射出成形などによって一体成形されている。特に、透明性、コストおよび成形性の点においてポリスチレンを使用することが好ましい。また、ＬＥＤカバー１７に用いる材料は、透光性および電気絶縁性を備えるものであれば、樹脂に限定されるものではなく、ガラスなどであってもよい。
【００３４】
また、ＬＥＤカバー１７は、ＬＥＤ光源基板１５Ａの発光面（ＬＥＤ素子群１５ｂが実装されている面）全体を覆う略円形状のＬＥＤカバー部１７ａと、ＬＥＤカバー部１７ａの外周縁部から背面側（天井側）に向けて延びる円筒状の壁部１７ｂと、壁部１７ｂの上端（背面側）から径方向外側に向けて突出するつば部１７ｃと、を有している。つば部１７ｃは、周方向に沿って延在し、３箇所に分割されて形成されている。
【００３５】
センタカバー１８は、装置本体の中央において露出する取付アダプタ（不図示）を覆うものであり、例えば、難燃性を有する合成樹脂（例えば、ＰＰ：ポリプロピレン樹脂）によって形成されている。また、センタカバー１８は、円板状に形成され、ＬＥＤカバー１７に着脱自在に取り付けられている。
【００３６】
セード１９は、透光性（透明、半透明、または、乳白色を含む）を有する樹脂製（例えばアクリルやポリスチレンなど）であり、ドーム状に構成されたものである。また、セード１９は、光源（ＬＥＤ素子群１５ｂ）から放射された光束を拡散させて、使用者がＬＥＤ照明装置１Ａを直視した際のまぶしさを軽減したり、ＬＥＤ照明装置１Ａが設置された空間の明るさを均一化する役割を果たす。また、セード１９は、放熱板１４の受け具１４ｄによって、着脱自在に係合保持される。
【００３７】
リング部材２０は、リング部の内周側がセード１９の外周側に保持され、リング部の外周側がセード１９の外周よりも外側に突出するように構成されている。また、リング部材２０は、光透過性を有する材料で形成されている。
【００３８】
センサユニット２１は、例えば、ＬＥＤ照明装置１Ａが設置された環境（空間）の明るさに応じてＬＥＤ素子群１５ｂへの供給電力を変化させて、ＬＥＤ照明装置１Ａ下で一定の照度が得られるようにする機能を提供する。また、ＬＥＤ照明装置１Ａ下の照度を検知する。
【００３９】
図４は第１実施形態に係るＬＥＤ照明装置を示す縦断面図である。
【００４０】
図４に示すように（併せて図１に示すように）、ＬＥＤカバー部１７ａは、径方向の中央部に円形の貫通孔１７ａ１が形成されている。また、ＬＥＤカバー部１７ａには、ＬＥＤ光源基板１５ＡのＬＥＤ素子群１５ｂ（昼光色ＬＥＤ１５ｂ１、電球色ＬＥＤ１５ｂ２、青色ＬＥＤ１５ｂ３）のそれぞれに対応する位置にドーム形状部１７ａ２が形成されている。なお、ドーム形状部１７ａ２は、レンズ機能を有するものであり、昼光色ＬＥＤ１５ｂ１、電球色ＬＥＤ１５ｂ２および青色ＬＥＤ１５ｂ３からの光束を拡散等させるものである。
【００４１】
また、ＬＥＤカバー１７では、ＬＥＤカバー部１７ａが放熱板１４の基板支持部１４ａにねじ固定され、つば部１７ｃが放熱板１４の環状部１４ｃにねじ固定される。
【００４２】
壁部１７ｂは、ＬＥＤカバー部１７ａに対して略直交する方向に延びて形成されている。また、壁部１７ｂには、図示しない切欠きが形成され、ＬＥＤカバー１７内の熱を外部に逃すことができるようになっている。なお、切欠きの開口面積は、使用者の指が挿入できない大きさに設定されている。これにより、使用者が手（指）で直接にＬＥＤ光源基板１５Ａに触れるのを防止できる。
【００４３】
つば部１７ｃは、ＬＥＤカバー１７をＬＥＤ光源基板１５Ａの外周側において放熱板１４に固定する固定部である。
【００４４】
図５は、第１実施形態に係るＬＥＤ照明装置を示す制御ブロック図である。
【００４５】
図５に示すように、ＬＥＤ照明装置１Ａは、電源ＰＳ（または商用電源）および電源回路１３０から電力を供給されて動作する。電源回路１３０は、電源ＰＳの電力を所定の電圧または電流に調整する機能を有する。
【００４６】
また、ＬＥＤ照明装置１Ａは、受光部１１０を備えている。受光部１１０は、リモコン１２０のボタン操作によってリモコン１２０から出力される信号（例えば、赤外光）を受信し、受信した信号を制御部１０１に送信する機能を有する。
【００４７】
リモコン１２０は、人によって操作される不図示のボタンを有し、操作されたボタンに対して設定された信号を出力する機能を有する。例えば、全灯モード、明るさアップモード、青色ＬＥＤ追加モード、明るさアップモード＋青色ＬＥＤ追加モードなどを設定することができる。
【００４８】
次に、ＬＥＤ照明装置１Ａの機能例について説明する。ＬＥＤ照明装置１Ａは、制御部１０１、昼光色ＬＥＤ、電球色ＬＥＤをそれぞれ調光する調光回路１０２，１０３、青色ＬＥＤを点灯・消灯する点灯回路１０４および３種類の昼光色ＬＥＤ１５ｂ１、電球色ＬＥＤ１５ｂ２、青色ＬＥＤ１５ｂ３（光源）を有する。なお、図２，３で説明した保安灯用のＬＥＤ１５ｂ４については図示を省略している。
【００４９】
制御部１０１は、マイコン等を含んで構成され、受光部１１０によって受信された信号を受け付けて、調光回路１０２，１０３および点灯回路１０４を制御する制御信号を生成する機能を有する。制御信号は、例えば、ＰＷＭ（Pulse Width Modulation）信号である。制御部１０１は、ＣＰＵ（Central Processing Unit）およびメインメモリによって構成され、不図示の記憶部に記憶されているアプリケーションプログラムをメインメモリに展開して、その機能を具現化する。
【００５０】
調光回路１０２，１０３は、制御部１０１から受信した制御信号に基づいて、昼光色ＬＥＤ１５ｂ１、電球色ＬＥＤ１５ｂ２を駆動し、点灯回路１０４は、青色ＬＥＤ１５ｂ３を駆動する機能を有する。また、調光回路１０２，１０３は、制御部１０１から受信した制御信号に基づいて、昼光色ＬＥＤ１５ｂ１、電球色ＬＥＤ１５ｂ２を駆動する駆動電流を個別に変更する機能を有する。また、点灯回路１０４は、制御部１０１から受信した制御信号に基づいて、青色ＬＥＤの点灯状態、消灯状態を切り替える機能を有し、駆動電流を変更する機能は有しない単純な構成である。
【００５１】
図６は、（ａ）は昼光色ＬＥＤのスペクトル分布図、（ｂ）は電球色ＬＥＤのスペクトル分布図、（ｃ）は青色ＬＥＤのスペクトル分布図である。なお、本実施形態では、スペクトル分布図として、波長（ＷＡＶＥＬＥＮＧＴＨ（ｎｍ））と放射強度との関係を示して説明するが、波長とエネルギ比との関係においても同様のピーク波長を有する波形を示すものである。
【００５２】
図６（ａ）に示すように、昼光色ＬＥＤ１５ｂ１は、４３０ｎｍ〜４６０ｎｍの範囲内においてピーク波長を有するものであり、本実施形態では、４５０ｎｍにピーク波長を有するものが使用される。また、昼光色ＬＥＤ１５ｂ１の色温度は、６５００Ｋ（ケルビン）である。
【００５３】
図６（ｂ）に示すように、電球色ＬＥＤ１５ｂ２は、５５０ｎｍ〜６５０ｎｍの範囲内においてピーク波長を有するものであり、本実施形態では、６１０ｎｍにピーク波長を有するものが使用される。また、電球色ＬＥＤ１５ｂ２の色温度は、２７００Ｋである。
【００５４】
なお、昼光色ＬＥＤ１５ｂ１と電球色ＬＥＤ１５ｂ２の色温度は、６５００Ｋや２７００Ｋに限定されるものではない。
【００５５】
図６（ｃ）に示すように、青色ＬＥＤ１５ｂ３は、４７０ｎｍ〜４８０ｎｍの範囲内においてピーク波長を有するものであり、本実施形態では、４７５ｎｍにピーク波長を有するものが使用される。
【００５６】
図７（ａ）は、図６の（ａ）と（ｂ）と全灯のスペクトル分布図とを重ね合わせたスペクトル分布図、図７（ｂ）は太陽光のスペクトル分布図と図６（ｃ）と全灯のスペクトル分布図と全灯に青色ＬＥＤを追加した場合のスペクトル分布図とを重ね合わせたスペクトル分布図、図７（ｃ）は図６（ｃ）と明るさアップモードのスペクトル分布図と明るさアップモードに青色ＬＥＤを追加した場合のスペクトル分布図とを重ね合わせたスペクトル分布図である。
【００５７】
ところで、人間の光に対する感度は、年齢によって変化し、特に高齢者では短波長領域（およそ５００ｎｍ以下）の光に対する感度が低下することが知られている。白色ＬＥＤを光源として用いた照明装置では、図７（ａ）に示すように、波長−放射強度の特性において、昼光色ＬＥＤ１５ｂ１と電球色ＬＥＤ１５ｂ２の特性は略同一であり、ともに波長４７０ｎｍ〜４８０ｎｍ近傍で放射強度が低くなっている。また、昼光色ＬＥＤ１５ｂ１と電球色ＬＥＤ１５ｂ２の双方を同時に点灯させた全灯モード（６０９９ｌｍ、４８００Ｋ）でも、特性は略同一であり、波長が４７０ｎｍ〜４８０ｎｍ近傍で放射強度が低くなっている。このため、高齢者では特にＬＥＤ照明下において主に青色など短波長の光成分を含む色や文字が見づらくなるという課題がある。
【００５８】
そこで、本実施形態では、図７（ｂ）において太実線で示すように、昼光色ＬＥＤ１５ｂ１と電球色ＬＥＤ１５ｂ２とを同時に（併せて）点灯させる全灯モードに、青色ＬＥＤ１５ｂ３を追加して点灯させること、つまり昼光色ＬＥＤ１５ｂ１と電球色ＬＥＤ１５ｂ２と青色ＬＥＤ１５ｂ３とを同時に点灯させることで、４７０ｎｍ〜４８０ｎｍでの放射強度の落ち込みを改善できる。これにより、色温度を太陽光の５８００Ｋのスペクトルの波形に近づけることができ、書面等の文字が見易くなる。
【００５９】
図８は、色温度と光束との関係を示すパターン図である。図８の横軸は色温度（Ｋ）を表し、縦軸は光束（ｌｍ：ルーメン）を表している。
【００６０】
図８中の点２００は、一般社団法人日本照明工業会によって畳数に応じて定められている部屋の明るさの範囲の最大値（以降、「部屋の広さに適した光束の最大値」と称する。）を表している。この点２００では、昼光色ＬＥＤ１５ｂ１、電球色ＬＥＤ１５ｂ２に与えられる電流値は、その定格に対してある程度のマージンが取られている。
【００６１】
ドットを付したエリア２５０は、通常モードで調色および調光のいずれか一方または双方を実行できる範囲を表している。
【００６２】
点２１０は、制御部１０１が、点２００よりもさらに光束を増加する「明るさアップモード」の指示を受け付けた時の光束および色温度を表している。制御部１０１は、明るさアップモードの指示を受け付けた場合には、例えば、「全灯モード」（定格出力）で昼光色ＬＥＤ１５ｂ１および電球色ＬＥＤ１５ｂ２に流す電流値の１．２倍の電流を流すように制御する。点２１０の色温度は、点２００の色温度と同じである。点２１０における光束は、複数の昼光色ＬＥＤ１５ｂ１と複数の電球色ＬＥＤ１５ｂ２のそれぞれで光束を増加しているため、１つ当たりの調光率または電流値の増加量は、一部の昼光色ＬＥＤ１５ｂ１や電球色ＬＥＤ１５ｂ２で同じだけ光束を増加させる場合に比べて少なくて済む。
【００６３】
点２２１は、昼光色ＬＥＤ１５ｂ１を単独で駆動した場合に得られる「蛍光灯モード」である。点２２２は、電球色ＬＥＤ１５ｂ２を単独で駆動した場合に得られる「電球色モード」である。
【００６４】
点２２３は、昼光色ＬＥＤ１５ｂ１と電球色ＬＥＤ１５ｂ２の調色により得られる「図書館の明かりモード」である。この「図書館の明かりモード」は、色温度を蛍光灯モードより低く且つ電球モードよりも高い５０００Ｋに設定し、さらに光束を蛍光灯モードおよび電球モードよりも高い５９００ｌｍに設定されている。
【００６５】
点２２４は、昼光色ＬＥＤ１５ｂ１と電球色ＬＥＤ１５ｂ２との調色により得られる「食卓モード」である。この「食卓モード」は、色温度を蛍光灯モードより低く且つ電球モードよりも高い３０００Ｋに設定し、さらに光束を蛍光灯モードよりも低く且つ電球モードよりも高い約３６５０ｌｍに設定されている。
【００６６】
このように、「蛍光灯モード」、「電球色モード」、「図書館の明かりモード」および「食卓モード」も、「全灯モード」と略同一の特性を有するものであり、波長が４７０ｎｍ〜４８０ｎｍ近傍で放射強度が低くなる特性を有している。
【００６７】
そこで、本実施形態では、図８において矢印２３０で示すように、点２００の「全灯モード」に青色ＬＥＤ１５ｂ３を追加して点灯する点２２０の「全灯モード＋青色ＬＥＤ追加モード」を追加することで、色温度が太陽光の５８００Ｋに近づくような５６００Ｋの光を得ることで文字などが見易くなるという効果を奏する。
【００６８】
また、「全灯モード」において、昼光色ＬＥＤ１５ｂ１と電球色ＬＥＤ１５ｂ２に１．２倍の電流を加える「明るさアップモード」でも、波長が４７０ｎｍ〜４８０ｎｍ近傍で放射強度が低くなる特性を有している。
【００６９】
そこで、本実施形態では、図８において矢印２３１で示すように、点２１０の「明るさアップモード」に青色ＬＥＤ１５ｂ３を追加して点灯する点２４０の「明るさアップモード＋青色ＬＥＤ追加モード」を追加することで、色温度が太陽光の５８００Ｋに近づくことで文字などがより見易くなるという効果および物が楽に見えるといった効果を奏する。
【００７０】
ここで点２００の「全灯モード」、点２１０の「明るさアップモード」、点２２０の「全灯モード＋青色ＬＥＤ追加モード」、点２４０の「明るさアップモード＋青色ＬＥＤ追加モード」を具体的に実現するための方法および昼光色ＬＥＤ１５ｂ１、電球色ＬＥＤ１５ｂ２、青色ＬＥＤ１５ｂ３それぞれの光量比率について説明する。
【００７１】
上記では点２００の「全灯モード」の際に昼光色ＬＥＤ１５ｂ１と電球色ＬＥＤ１５ｂ２に流す電流の１．２倍の電流を点２１０の「明るさアップモード」で流すことを説明したが、光量の比率の説明を容易にするために、各ＬＥＤの電流特性や温度特性を加味せずに、電流１．２倍を流した場合に光量も１．２倍得られるとした場合にて以下説明する。
【００７２】
まず、点２００の「全灯モード」で前述の６０９９ｌｍ、４８００Ｋの光を実現するためには、昼光色ＬＥＤ１５ｂ１の光量が約３９００ｌｍで電球色ＬＥＤ１５ｂ２の光量が約２２００ｌｍ必要であり、この全灯モードでの電球色ＬＥＤ１５ｂ２の光量を１００とした場合に、昼光色ＬＥＤ１５ｂ１の光量は１７７ということになる。
【００７３】
点２１０の「明るさアップモード」では単純に点２００の「全灯モード」の１．２倍となるので、電球色ＬＥＤ１５ｂ２の光量は１２０となり、昼光色ＬＥＤ１５ｂ１の光量は２１２の比率であれば、４８００Ｋの色温度を維持して明るさを１．２倍にすることが可能である。
【００７４】
点２２０の「全灯モード＋青色ＬＥＤ追加モード」においては前述の５６００Ｋを実現するためには、電球色ＬＥＤ１５ｂ２の光量１００、昼光色ＬＥＤ１５ｂ１の光量１７７に対して、青色ＬＥＤ１５ｂ３の光量は７．５（前述の光束であれば約１６５ｌｍ）あればよい。
【００７５】
点２４０の「明るさアップモード＋青色ＬＥＤ追加モード」を実現するためには、電球色ＬＥＤ１５ｂ２の光量１２０、昼光色ＬＥＤ１５ｂ１の光量２１２に加えて、青色ＬＥＤ１５ｂ３の光量は前述の点２２０における光量７．５の１．２倍となる９．０あれば同じ色温度５６００Ｋを実現できる。
【００７６】
ただし、この制御方法を用いると、昼光色ＬＥＤ１５ｂ１の駆動電流を制御する調光回路１０２と、電球色ＬＥＤ１５ｂ２の駆動電流を制御する調光回路１０３の他に、青色ＬＥＤ１５ｂ３の駆動電流を制御する第３の調光回路（不図示）が必要となり、３系統のＬＥＤを個別に制御するため、制御回路の複雑化や回路部品点数の増加、電源基板が大型化につながってしまう。
【００７７】
ここで昼光色ＬＥＤ１５ｂ１の光量を２２２に上げ、電球色ＬＥＤ１５ｂ２の光量を１１２に下げ、最適化を図ることで、青色ＬＥＤ１５ｂ３の光量は点２２０の「全灯モード＋青色ＬＥＤ追加モード」時の光量７．５を維持したままでも点２４０の「明るさアップモード＋青色ＬＥＤ追加モード」を実現することが可能となる。
【００７８】
この昼光色ＬＥＤ１５ｂ１と電球色ＬＥＤ１５ｂ２の光量比率の最適化により、青色ＬＥＤ１５ｂ３の制御は単純な点灯・消灯を切り替えるだけの機能をもった点灯回路１０４があれば、複雑な制御をする調光回路は不要となる。
【００７９】
よって、制御回路の単純化が可能となり、回路部品点数の削減ができ、電源基板の小型化を実現することが可能となる。
【００８０】
なお、上記説明の光量比率はあくまで一例であり、使用する昼光色ＬＥＤ１５ｂ１、電球色ＬＥＤ１５ｂ２、青色ＬＥＤ１５ｂ３の特性によって最適な比率は異なるため、上記光量比率に限定するものではない。
【００８１】
図９は、モードの種類毎の文字などの見易さを示す表である。なお、図９において、「○」は、「見易い」、１個の「◎」は、「より見易い」、「◎◎」は、「更により見易い」ことを表している。
【００８２】
図９において、Ｎｏ．１は「電球色モード」、Ｎｏ．２は「食卓モード」、Ｎｏ．３は「図書館の明かりモード」、Ｎｏ．４は「蛍光灯モード」、Ｎｏ．５は「全灯モード」である。Ｎｏ．１〜Ｎｏ．５は、「見易い」という結果が得られた。
【００８３】
また、図９において、Ｎｏ．６は「明るさアップモード」（「全灯モード」の電流値の１．２倍）である。この場合、「より見易い」という結果が得られた。
【００８４】
また、図９のＮｏ．７は、複数のモードをまとめて記載したものであり、Ｎｏ．１の「電球色モード」に「青色ＬＥＤ追加モード」を追加した場合、Ｎｏ．２の「食卓モード」に「青色ＬＥＤ追加モード」を追加した場合、Ｎｏ．３の「図書館の明かりモード」に「青色ＬＥＤ追加モード」を追加した場合、Ｎｏ．４の「蛍光灯モード」に「青色ＬＥＤ追加モード」を追加した場合、Ｎｏ．５の「全灯モード」に「青色ＬＥＤ追加モード」を追加した場合である。これらについては、Ｎｏ．１〜Ｎｏ．５のモード（青色ＬＥＤ１５ｂ３の追加無し）に対して、「より見易い」という結果が得られた。これら「電球色モード＋青色ＬＥＤ追加モード」、「食卓モード＋青色ＬＥＤ追加モード」、「図書館の明かりモード＋青色ＬＥＤ追加モード」、「蛍光灯モード＋青色ＬＥＤ追加モード」では、４７０ｎｍ〜４８０ｎｍの放射強度が低い部分を補完することができ、各モードに青色ＬＥＤ１５ｂ３を追加することで、Ｎｏ．６のように電流値を１．２倍にしなくとも、４７０ｎｍ〜４８０ｎｍの範囲における放射強度を太陽光（５８００Ｋ）の４７０ｎｍ〜４８０ｎｍにおける波形に近づけることができるので、文字などが見易くなる。
【００８５】
また、図９において、Ｎｏ．８は、Ｎｏ．６の「明るさアップモード」に「青色ＬＥＤ追加モード」を追加した場合である。この場合には、「明るさアップモード」（青色ＬＥＤ１５ｂ３の追加無し）に対して、「更により見易い」という結果が得られた。
【００８６】
以上説明したように、第１実施形態のＬＥＤ照明装置１Ａは、昼光色ＬＥＤ１５ｂ１と、電球色ＬＥＤ１５ｂ２と、青色ＬＥＤ１５ｂ３と、これら昼光色ＬＥＤ１５ｂ１、電球色ＬＥＤ１５ｂ２および青色ＬＥＤ１５ｂ３を制御する制御部１０１と、を備え、昼光色ＬＥＤ１５ｂ１の駆動電流を制御する調光回路１０２と、電球色ＬＥＤ１５ｂ２の駆動電流を制御する調光回路１０３によって昼光色ＬＥＤ１５ｂ１と電球色ＬＥＤ１５ｂ２の光量比率の最適化を図ることで、青色ＬＥＤ１５ｂ３の駆動は点灯・消灯のみの単純な点灯回路１０４のみで制御が可能となり、昼光色ＬＥＤ１５ｂ１と電球色ＬＥＤ１５ｂ２とを定格出力で駆動させる全灯モードの１．２倍（１より大きい所定倍率）の明るさをもった明るさアップモードに、青色ＬＥＤ１５ｂ３を追加して点灯することで、波長４７０ｎｍ〜４８０ｎｍの放射強度が低下する領域を補完することができ、また色温度を太陽光の５８００Ｋに近づけることができるので、文字などが見易さを維持しながら、制御回路の単純化、回路部品点数の削減、電源基板の小型化が可能となる。
【００８７】
（第２実施形態）
図１０は、第２実施形態に係るＬＥＤ照明装置を示す分解斜視図である。
【００８８】
図１０に示すように、ＬＥＤ照明装置１Ｂ（照明装置）は、本体ベース１１１、アダプタ受け部（絶縁材）１１２、電源基板１１３、放熱板１１４、第１ＬＥＤ光源基板１１５、ＬＥＤカバー１１６、反射シート１１７、遮光部材１１８、保安灯カバー１１９、第２ＬＥＤ光源基板１２１、センタカバー１２２、センサユニット１２３、導光板（導光体）１３１、リングカバー１３２、導光ピース１３３（導光体）などで構成されている。
【００８９】
本体ベース１１１は、鋼板（例えば、ＳＰＣＣ）を略円形状に加工成形した部品であり、凹面が側を向くように略凹状に形成されている。また、本体ベース１１１の中央には、取付アダプタ（不図示）が係止されるアダプタ取付孔１１１ａが形成されている。
【００９０】
また、本体ベース１１１の上面には、リング形状のパッキン１１１ｂが接着固定されて
いる。このパッキン１１１ｂによって、本体ベース１１１と天井面との間の隙間が密閉さ
れることで、装置本体内へ塵埃などが入り込むのを防止できる。
【００９１】
アダプタ受け部（絶縁材）１１２は、難燃性を有する合成樹脂（例えば、ＰＢＴ：ポリブチンテレフタレート樹脂）で形成され、本体ベース１１１に固定されるリング形状の固定部１１２ａと、この固定部１１２ａの内周縁部から床側（下方）に延出する円筒部１１２ｂと、を有している。円筒部１１２ｂには、後記する保安灯カバー１１９が係止される係止孔１１２ｃが形成されている。
【００９２】
電源基板１１３は、点灯回路基板などを有し、絶縁板（不図示）を介して本体ベース１１１に固定されている。なお、絶縁板は、電気絶縁性および難燃性を有する例えばポリプロピレンなどの樹脂材料で成形されている。これにより、電源基板１１３は、本体ベース１１１と後記する放熱板１１４とで囲まれた放熱空間内に、電気絶縁性を維持した状態で配置される。
【００９３】
また、電源基板１１３は、不図示の電線を介して、取付アダプタ（不図示）と電気的に接続される。これにより、ＬＥＤ照明装置１Ｂは、屋内配線器具（不図示）、取付アダプタ（不図示）、電源基板１１３をそれぞれ介して、給電されるようになっている。
【００９４】
放熱板１１４は、鋼板を略円形状に加工成形したものであり、例えば亜鉛メッキ鋼板などの熱伝導性の良好な金属を用いて構成されている。また、放熱板１１４は、本体ベース１１１よりも大径に形成され、本体ベース１１１よりも径方向外側に突出するようにして本体ベース１１１に取り付けられる。
【００９５】
また、放熱板１１４の径方向の中心には、アダプタ受け部（絶縁材）１１２の円筒部１１２ｂと対応する位置に円形の貫通孔１１４ａが形成されている。また、放熱板１１４の外周縁部には、後記する第１ＬＥＤ光源基板１１５をねじ固定するためのねじ孔１１４ｂが周方向に沿って複数個所に形成されている。また、放熱板１１４のねじ孔１１４ｂの外周側には、後記する受け具１４０を掛止させるための引掛孔１１４ｃ，１１４ｃが複数個所に形成されている。引掛孔１１４ｃ，１１４ｃは、周方向に１２０°間隔で配置されている。また、放熱板１１４には、各引掛孔１１４ｃの近傍に、受け具１４０を放熱板１１４にねじ固定するためのねじ孔１１４ｄが形成されている。なお、放熱板１１４は、加工成形時に円形状の溝１１４ｅ，１１４ｆや直線状の溝１１４ｇを形成することにより、放熱板１１４の強度アップが図られている。
【００９６】
第１ＬＥＤ光源基板１１５は、リング形状の配線基板１１５ａと、この配線基板１１５ａの一面側（床面側）に一列の環状に配置される複数のＬＥＤ素子群１１５ｂと、を含んで構成され、放熱板１１４の外周に搭載される。なお、ＬＥＤ素子群１１５ｂは、例えば、昼光色の光を発する昼光色ＬＥＤ１１５ｂ１と、電球色の光を発する電球色ＬＥＤ１１５ｂ２と、で構成され、各素子が周方向に交互に配置されることで構成されている。例えば、電球色ＬＥＤ１１５ｂ２が２個の昼光色ＬＥＤ１１５ｂ１を挟んで配置されている。これにより、電球色、電球色＋昼光色、昼光色の３色の光を放射することができ、さらにＬＥＤ素子群１１５ｂに調光機構を付加することにより、さらにきめ細かな色の光を放射することが可能になる。
【００９７】
配線基板１１５ａは、例えば、アルミニウム合金製の略環状の金属板に絶縁層および銅箔パターンなどを形成したり、または熱伝導性の良好な樹脂（例えばポリイミド樹脂など）の平板上に銅箔パターンおよびソルダーレジストなどを形成することで構成されている。
【００９８】
また、配線基板１１５ａには、第１ＬＥＤ光源基板１１５を放熱板１１４にねじ固定す
る際にねじ（不図示）が挿通されるねじ挿通孔１１５ｃが、周方向に間隔を置いて複数個所に形成されている。
【００９９】
本実施形態では、前記のような構成の本体ベース１１１と放熱板１１４とを備えることによって、放熱空間の容積を大きくし（放熱空間の空気の量を多くし）、電源基板１１３および第１ＬＥＤ光源基板１１５の放熱効率の向上を図ることができる。その結果、ＬＥＤ素子群１１５ｂの発光効率を高くできる。
【０１００】
ＬＥＤカバー１１６は、第１ＬＥＤ光源基板１１５の全体を覆うことができるように環状に形成されたものである。なお、ＬＥＤカバー１１６は、無色透明の合成樹脂（例えば、ＰＥＴ：ポリエチレンテレフタレート樹脂）によってフィルム状に形成されている。これにより、ユーザがＬＥＤ照明装置１Ｂを設置する際に、ユーザが第１ＬＥＤ光源基板１１５に触れるのを防止することができる。つまり、本実施形態のＬＥＤ照明装置１Ｂでは、ユーザ自身が導光板１３１を着脱するタイプであるので、ユーザが導光板１３１の着脱時に第１ＬＥＤ光源基板１１５に触れないようになっている。
【０１０１】
また、ＬＥＤカバー１１６は、ねじ挿通孔１１５ｃに対応する位置に、ねじ挿通孔１１６ａが複数個所に形成されている。なお、図示していないが、別個に設けられた抑え部材によってＬＥＤカバー１１６の浮きを防止するようにしてもよい。
【０１０２】
反射シート１１７は、ＬＥＤ素子群１１５ｂから天井側に出射された光を床側に反射させる機能を有し、平面視においてドーナツ状（環状）に形成されている。また、反射シート１１７は、白色の樹脂シートで構成されている。なお、本実施形態では、反射シート１１７を設ける場合を例に挙げて説明したが、これに限定されるものではなく、放熱板１１４に高反射塗装を行う構成であってもよい。
【０１０３】
遮光部材１１８は、ＬＥＤ素子群１１５ｂの光が導光板１３１の内側に漏れるのを抑える機能を有し、例えば、ＡＢＳ（Acrylonitrile Butadiene Styrene）樹脂でリング状に形成されている。また、遮光部材１１８は、反射シート１１７の外周縁部１１７ａを抑えている。
【０１０４】
保安灯カバー１１９は、後記する第２ＬＥＤ光源基板１２１を覆うものであり、リング状に形成されている。また、保安灯カバー１１９は、光透過性を有する材料で形成され、内周縁部に、当該保安灯カバー１１９を固定部１１２ａに掛止させる掛止部１１９ａが形成されている。
【０１０５】
第２ＬＥＤ光源基板１２１は、配線基板１２１ａを有し、この配線基板１２１ａ上に、保安灯として使用される暖色系のＬＥＤ素子１２１ｂと、青色の光を発する青色ＬＥＤ１２１ｃとが、周方向に交互に配置されて構成されている。また、第２ＬＥＤ光源基板１２１は、第１ＬＥＤ光源基板よりも径方向の内側（本実施形態では、最内周）に配置されている。
【０１０６】
センタカバー１２２は、装置本体の中央において露出する取付アダプタ（不図示）を覆うものであり、例えば、難燃性を有する合成樹脂（例えば、ＰＰ：ポリプロピレン樹脂）によって形成されている。また、センタカバー１２２は、円板状に形成され、保安灯カバー１１９に着脱自在に取り付けられている。
【０１０７】
センサユニット１２３は、例えば、ＬＥＤ照明装置１Ｂが設置された環境（空間）の明るさに応じてＬＥＤ素子群１１５ｂへの供給電力を変化させて、ＬＥＤ照明装置１Ｂ下で一定の照度が得られるようにする機能を提供する。また、センサユニット１２３は、ＬＥＤ照明装置１Ｂ下の照度を検知する。また、センサユニット１２３は、ＡＢＳ樹脂やポリプロピレン（polypropylene）樹脂などで成形されたセンサケース１２３ａ内にセンサ基板（不図示）が収容されるように構成され、放熱板１１４の天井側に取り付けられている。
【０１０８】
導光板１３１は、複数のＬＥＤ素子群１１５ｂから発せられた光束を床側へ導く機能と、ＬＥＤ照明装置１Ｂの最も外側（床側、外面側）に位置して当該ＬＥＤ照明装置１Ｂのカバーとしての機能と、を有している。このように、導光板１３１を最も外側（床側、外面側）に配置することにより、ＬＥＤ素子群１１５ｂの性能を最大限利用できる。また、導光板１３１のさらに外側に乳白色のカバーを設けないので、ＬＥＤ照明装置１Ｂを薄型化できる。
【０１０９】
また、導光板１３１は、例えば、ＰＭＭＡ（ポリメタクリル酸メチル樹脂）からなる透光性および電気絶縁性を有する樹脂を用いて、射出成形などによって一体成形されている。なお、導光板１３１の材料は、ＰＭＭＡに限定されるものではなく、透光性および電気絶縁性を備えるものであればよく、ポリスチレン樹脂やポリカーボネート樹脂など他の樹脂であってもよく、また樹脂に限定されるものではなくガラスなどであってもよい。
【０１１０】
また、導光板１３１は、凹面が天井側を向くように皿状に形成されるとともに、導光板１３１の外周に、受け具１４０に着脱自在に保持されるつば部１３１ａが形成されている。このつば部１３１ａは、導光板１３１の外周縁部の３箇所に形成されている。
【０１１１】
また、導光板１３１の表面の中央には、平面視円形状の凹部１３１ｃが形成されている。なお、この凹部１３１ｃは、導光板１３１を成形する際にゲート跡（樹脂充填跡）が形成される部位であり、射出成形後に残るゲート跡を導光ピース１３３で覆い隠すための段差である。
【０１１２】
リングカバー１３２は、導光板１３１のつば部１３１ａの上から重ねて配置され、床側からつば部１３１ａを視認できなくするものである。
【０１１３】
導光ピース１３３は、導光板１３１と同様の材料で形成され、小径の円板状（コイン状）に形成されている。また、導光ピース１３３は、導光板１３１に形成された凹部１３１ｃに嵌め込まれ、接着剤などで固定されている。また、導光ピース１３３は、同心円状に溝１３３ａが形成され、外側の導光板１３１と同様に光が出射されるようになっている。
【０１１４】
受け具１４０は、導光板１３１を着脱自在に保持するものであり、例えば、ＰＯＭ（ポリオキシメチレン）などの合成樹脂によって形成されている。
【０１１５】
図１１は、第２実施形態に係るＬＥＤ照明装置の斜視断面図である。なお、図１１は、ＬＥＤ照明装置１Ｂの径方向の中心を通るように半分に切断したときの状態を示している。
【０１１６】
図１１に示すように、導光板１３１の内面には、複数本の溝１３１ｄが同心円状に形成されている。このように、溝１３１ｄを導光板１３１の内面に形成することにより、溝１３１ｄ内に埃などが溜まるのを防止することができ、光を安定して出射させることができる。
【０１１７】
また、溝１３１ｄは、凹部１３１ｃを除く全体に形成されている。これにより、ＬＥＤ素子群１１５ｂの光を導光板１３１の略中央部を含む全面に拡散させることができる。また、隣り合う溝１３１ｄの間隔ｓは、径方向の外側から中心側に向けて徐々に狭くなるように形成されている。これにより、径方向の外周から内周にかけて均一に光らせることができる。なお、図示していないが、各溝１３１ｄ内には、さらにシボ加工が施されている。これにより、導光板１３１の全面に光を拡散させることができる。
【０１１８】
図１２は、図１１のＡ部拡大図である。
【０１１９】
図１２に示すように、導光板１３１は、ＬＥＤ素子群１１５ｂと対向して配置されてＬＥＤ素子群１１５ｂ（昼光色ＬＥＤ１１５ｂ１および電球色ＬＥＤ１１５ｂ２）の光が入射する入射部１３１ｉと、入射部１３１ｉから入射された光を導光板１３１の中心部を含めて全体から出射させる出射部１３１ｏと、を有している。
【０１２０】
入射部１３１ｉは、導光板１３１の厚み分に対応する部分であり、ＬＥＤ素子群１１５ｂの配列に沿って円環状に形成されている。
【０１２１】
出射部１３１ｏは、入射部１３１ｉから床側に向けて延出する湾曲部１３１ｏ１と、水平方向に向けて円板状に形成される平面部１３１ｏ２と、を有している。
【０１２２】
ＬＥＤ素子群１１５ｂの光が入射部１３１ｉから入射されると、導光板１３１内を導光するとともに、光が出射部１３１ｏから導光板１３１の外側（床側）に出射される。また、遮光部材１１８によって、入射部１３１ｉに入射した光が導光板１３１の内側に漏れ出ないようになっている。
【０１２３】
また、第２実施形態では、第１実施形態と同様な制御部１０１（図５参照）によって、昼光色ＬＥＤ１１５ｂ１、電球色ＬＥＤ１１５ｂ２、青色ＬＥＤ１２１ｃをそれぞれ制御できるようになっている。また、図８および図９において説明したように、各種のモードを設定できるようになっている。
【０１２４】
すなわち、昼光色ＬＥＤ１１５ｂ１と電球色ＬＥＤ１１５ｂ２を定格出力で点灯させる「全灯モード」に、青色ＬＥＤ１２１ｃを追加して点灯する「青色ＬＥＤ追加モード」を追加することで、波長４７０ｎｍ〜４８０ｎｍの放射強度を補完することができるので、文字などが見易くなる。また、全灯モード時の１．２倍の明るさをもった明るさアップモードにおいて昼光色ＬＥＤ１１５ｂ１と電球色ＬＥＤ１１５ｂ２にそれぞれに流す電流の最適化を図ることで、青色ＬＥＤ１２１ｃの制御は点灯・消灯をするだけの点灯回路のみでよく、文字などが見易く、物が楽に見えるようになる機能を維持しながら、制御回路の単純化、回路部品点数の削減、電源基板の小型化を実現することができる。
【０１２５】
また、第２実施形態では、昼光色ＬＥＤ１１５ｂ１が一列の円環状に配置され、昼光色ＬＥＤ１１５ｂ１および電球色ＬＥＤ１１５ｂ２の径方向内側（最内周側）に配置されている。これによれば、第１ＬＥＤ光源基板１１５と第２ＬＥＤ光源基板１２１との２つの基板に分けて最小限の基板面積で構成でき、基板を１枚で全面に配置する場合よりも基板を安価に構成できる。
【０１２６】
なお、本発明は、前記した実施形態に限定されるものではなく、本発明の趣旨を逸脱しない範囲において種々変更することができる。
【０１２７】
また、ＬＥＤ照明装置１Ａ，１Ｂの形状は、丸型に限定されるものではなく、四角などの角型、多角型など他の形状であってもよい。
【符号の説明】
【０１２８】
１Ａ，１Ｂ  ＬＥＤ照明装置（照明装置）
１１，１１１  本体ベース
１１ａ，１１１ａ  アダプタ取付孔
１２，１１２  アダプタ受け部（絶縁材）
１３，１１３  電源基板
１４，１１４  放熱板
１５Ａ，１５Ｂ  ＬＥＤ光源基板
１５ｂ  ＬＥＤ素子群
１５ｂ１  昼光色ＬＥＤ
１５ｂ２  電球色ＬＥＤ
１５ｂ３  青色ＬＥＤ
１６    反射シート
１７    ＬＥＤカバー
１９    セード
３１    導光カバー本体
１３１  導光板
１３１ａ  つば部
１０１  制御部
１０２  （昼光色ＬＥＤの駆動電流を変更する）調光回路
１０３  （電球色ＬＥＤの駆動電流を変更する）調光回路
１０４  （青色ＬＥＤを点灯・消灯する）点灯回路
１１５  第１ＬＥＤ光源基板
１１５ｂ  ＬＥＤ素子群
１１５ｂ１  昼光色ＬＥＤ
１１５ｂ２  電球色ＬＥＤ
１１６  ＬＥＤカバー
１１７  反射シート
１２１  第２ＬＥＤ光源基板
１２１ｃ  青色ＬＥＤ
１３１  導光板
１３１ｉ  入射部
１３１ｏ  出射部
【図１】
2020030928.tif 000003
【図２】
2020030928.tif 000004
【図３】
2020030928.tif 000005
【図４】
2020030928.tif 000006
【図５】
2020030928.tif 000007
【図６】
2020030928.tif 000008
【図７】
2020030928.tif 000009
【図８】
2020030928.tif 000010
【図９】
2020030928.tif 000011
【図１０】
2020030928.tif 000012
【図１１】
2020030928.tif 000013
【図１２】
2020030928.tif 000014